(57)【要約】【課題】増設基板を装着する際の作業を簡易とするとともに、装着した情報処理部材を取り外すことが困難となる画像形成装置を提供する。【解決手段】画像形成装置１は、装置本体２と、装置本体２に装着される増設基板３３が通過可能な開口部２１ａを有し、装置本体２を覆う左側面カバー２１と、左側面カバー２１に揺動可能に支持され、開口部２１ａを閉塞する閉位置と前記開口部を開放する開位置との間で変位可能な開閉カバー２８と、開閉カバー２８の変位方向において左側面カバー２１と開閉カバー２８とにまたがって配される本体５０と、開閉カバー２８と係合する第１係合部であるねじ５６と、左側面カバー２１と係合する第２係合部である爪部５１とを有し、開閉カバー２８の開閉を規制する係合部材５と、係合部材５におけるねじ５６または爪部５１の少なくとも一方を覆う第１保護部材２１２および第２保護部材２８１とを有する。【選択図】図１１
2019023708.tif 000002
【特許請求の範囲】
【請求項１】
装置本体と、
前記装置本体に装着される増設基板が通過可能な開口部を有し、前記装置本体を覆う筐体カバーと、
前記筐体カバーに揺動可能に支持され、前記開口部を閉塞する閉位置と前記開口部を開放する開位置との間で変位可能な開閉カバーと、
前記開閉カバーの変位方向において前記筐体カバーと前記開閉カバーとにまたがって配され、前記開閉カバーと係合する第１係合部と、前記筐体カバーと係合する第２係合部とを有し、前記開閉カバーの開閉を規制する係合部材と、
前記係合部材における第１係合部または前記第２係合部の少なくとも一方を覆う保護部材とを有する、
ことを特徴とする画像形成装置。
【請求項２】
前記装置本体は、ケーブルに接続されたコネクタプラグを装着可能なコネクタソケットを有し、
前記係合部材は、前記コネクタソケットを覆う位置に配置されている
ことを特徴とする請求項１に記載の画像形成装置。
【請求項３】
前記コネクタプラグは、前記コネクタソケットに所定のストロークにて嵌合することにより前記コネクタソケットに装着可能であり、
前記係合部材は、前記コネクタプラグが装着されたときに前記コネクタソケットの装着方向におけるコネクタプラグとの距離が前記コネクタプラグのストロークの距離よりも小さくする規制部を有する
ことを特徴とする請求項２に記載の画像形成装置。
【請求項４】
前記係合部材は、前記コネクタプラグと対向する箇所に前記係合部材を貫通する孔部を有している
ことを特徴とする請求項３に記載の画像形成装置。
【請求項５】
前記保護部材は、前記係合部材の周縁部を覆う保護壁部を有し、
前記保護壁部の高さが、前記係合部材の高さと同じまたは前記係合部材の高さよりも大きい
ことを特徴とする請求項１〜請求項４の何れか一項に記載の画像形成装置。
【請求項６】
前記保護壁部は、少なくとも前記係合部材の上方を覆うように配置されることを特徴とする請求項５に記載の画像形成装置。
【請求項７】
前記第１係合部は、前記開閉カバーと前記係合部材とを締結する締結部材からなることを特徴とする請求項１〜請求項６の何れか一項に記載の画像形成装置。
【請求項８】
前記第１係合部は、前記開閉カバーと前記係合部材とを前記筐体カバーに締結することを特徴とする請求項７に記載の画像形成装置。
【請求項９】
前記第２係合部は、前記係合部材に形成され前記筐体カバーに係合する爪部からなることを特徴とする請求項１〜請求項８の何れか一項に記載の画像形成装置。
【請求項１０】
前記開閉カバーまたは前記係合部材の一方は突起部を有し、
前記開閉カバーまたは係合部材の他方は、前記開閉カバーが閉位置から開位置へ変位する際に前記突起部と係合する第３係合部を有する
ことを特徴とする請求項１〜請求項９の何れか一項に記載の画像形成装置。
【請求項１１】
前記開閉カバーは、揺動中心となる軸部を有し、
前記第３係合部は、前記軸部の軸線方向における両端部の間の幅範囲内に配置されている
ことを特徴とする請求項１０に記載の画像形成装置。
【発明の詳細な説明】
【技術分野】
【０００１】
本発明は、増設基板が装着可能な画像形成装置に関する。
【背景技術】
【０００２】
従来、メモリ、ビデオコントローラボード、およびＬＡＮボードなどの増設基板が装着可能な画像形成装置が知られている。
例えば特許文献１に示す画像形成装置においては、増設したビデオコントローラボードおよびフレームを覆う筐体カバーがフレームに取り付けられている。フレームおよび筐体カバーにはそれぞれ貫通孔が形成されており、フレームの貫通孔と筐体カバーの貫通孔とにロック機構を貫通させて施錠することにより、ロック機構を解錠することなしに筐体カバーを取り外すことができないように構成されている。
【０００３】
このように、フレームと筐体カバーとをロック機構により施錠することで、ビデオコントローラボードをフレームから取り外すことが困難となるため、ビデオコントローラボードの盗難を抑制することが可能となっている。
【先行技術文献】
【特許文献】
【０００４】
【特許文献１】特開２００７−１９９１５９号公報
【発明の概要】
【発明が解決しようとする課題】
【０００５】
上記構成の場合、画像形成装置にビデオコントローラボードを増設するときには、筐体カバー全体をフレームから取り外す必要がある。このため、ビデオコントローラボードを増設する際の作業が煩雑になる。
この問題は、ビデオコントローラボードのみならず、メモリやＬＡＮボードなどの増設基板をフレームに装着する際にも同様に生じるおそれがある。
【０００６】
そこで、本発明においては、増設基板を装着する際の作業を簡易とするとともに、装着した増設基板を取り外すことが困難となる画像形成装置を提供するものである。
【課題を解決するための手段】
【０００７】
上記課題を解決する画像形成装置は、以下の特徴を有する。
即ち、画像形成装置（１）は、装置本体（２）と、前記装置本体（２）に装着される増設基板（３３）が通過可能な開口部（２１ａ）を有し、前記装置本体（２）を覆う筐体カバー（２１）と、前記筐体カバー（２１）に揺動可能に支持され、前記開口部（２１ａ）を閉塞する閉位置と前記開口部を開放する開位置との間で変位可能な開閉カバー（２８）と、前記開閉カバー（２８）の変位方向において前記筐体カバー（２１）と前記開閉カバー（２８）とにまたがって配され、前記開閉カバー（２８）と係合する第１係合部（５６）と、前記筐体カバー（２１）と係合する第２係合部（５１）とを有し、前記開閉カバー（２８）の開閉を規制する係合部材（５）と、前記係合部材（５）における第１係合部（５６）または前記第２係合部（５１）の少なくとも一方を覆う保護部材（２１２、２８１）とを有する。
【発明の効果】
【０００８】
本発明によれば、増設基板を装着する際の作業を簡易とするとともに、装着した増設基板を取り外すことが困難となる。
【図面の簡単な説明】
【０００９】
【図１】開閉カバーが閉位置に変位した状態で係合部材の本体が装着された画像形成装置を示す斜視図である。
【図２】増設基板が装置本体に装着され、開閉カバーが開位置にある状態の画像形成装置を示す斜視図である。
【図３】画像形成装置の左端部を示す後面断面図である。
【図４】係合部材を示す斜視図である。
【図５】ねじにより開閉カバーと係合部材の本体とが左側面カバーに締結される様子を示す側面断面図である。
【図６】第１ＵＳＢコネクタソケットに装着された第１ＵＳＢコネクタプラグ、および画像形成装置に装着された係合部材の本体を示す側面断面図である。
【図７】画像形成装置における係合部材の装着部分を示す後面図である。
【図８】開閉カバーの突起部と、突起部と係合する係合部材の係合面を示す平面断面図である。
【図９】画像形成装置を示す左側面図である。
【図１０】開閉カバーを開位置に変位させて増設基板を装置本体に装着する際の画像形成装置を示す斜視図である。
【図１１】開閉カバーを閉位置に変位させて係合部材を装着する際の画像形成装置を示す斜視図である。
【発明を実施するための形態】
【００１０】
次に、本発明を実施するための形態を、添付の図面を用いて説明する。
【００１１】
[画像形成装置１の概略構成]
図１に示す画像形成装置１は、本発明に係る画像形成装置の一実施形態である。
以下の説明においては、図１に示すように画像形成装置１が使用可能に設置された状態を基準として、ユーザから見て画像形成装置１の前後、左右、上下の各方向を定める。
【００１２】
図１〜図３に示すように、画像形成装置１は、装置本体２と、シートを収容するシートカセット３と、シートに画像を形成する画像形成部６とを備えている。
装置本体２は、シートカセット３および画像形成部６を収容している。
【００１３】
画像形成装置１は、左側面カバー２１、右側面カバー２２、上面カバー２３、前面カバー２４、および後面カバー２５を有している。
左側面カバー２１は装置本体２の左側面を覆い、右側面カバー２２は装置本体２の右側面を覆い、上面カバー２３は装置本体２の上面を覆い、前面カバー２４は装置本体２の前面を覆い、後面カバー２５は装置本体２の後面を覆っている。左側面カバー２１は筐体カバーの一例である。
【００１４】
上面カバー２３の略中央部には、画像形成部６により画像が形成されたシートが排出される排紙トレイ２３ａが形成されている。上面カバー２３における左側の前部には、画像形成装置１に対する入力操作を行う操作部４が設けられている。
装置本体２の下部にはシートカセット３が配置されており、シートカセット３の上方に画像形成部６が配置されている。画像形成部６の画像形成方式は特に限定されるものではなく、例えばレーザプリント方式やインクジェットプリント方式を採用することができる。
【００１５】
左側面カバー２１は開口部２１ａを有している。左側面カバー２１には、開口部２１ａを閉塞する閉位置と開口部２１ａを開放する開位置との間で変位可能な開閉カバー２８が揺動可能に支持されている。
開閉カバー２８が開位置にあるときには、装置本体２に支持される板金フレーム２７が開口部２１ａから露出しており、画像形成装置１の外部から開口部２１ａを通じて増設基板３３を板金フレーム２７に装着することが可能となっている。つまり、左側面カバー２１の開口部２１ａは、増設基板３３が通過可能に構成されている。
また、開閉カバー２８が閉位置にあるときには、開口部２１ａが開閉カバー２８により閉塞されて、板金フレーム２７に装着された増設基板３３が開閉カバー２８により覆われる。
【００１６】
このように、左側面カバー２１は増設基板３３が通過可能であり開閉カバー２８により開閉される開口部２１ａを有している。従って、増設基板３３を装置本体２に装着する際には左側面カバー２１全体を装置本体２から取り外す必要がなく、増設基板３３の装着作業を、開閉カバー２８を開位置に変位させるとともに、増設基板３３を開口部２１ａを通じて装置本体２に装着するといった簡易な作業とすることができる。
【００１７】
図３に示すように、画像形成装置１は、装置本体２の本体フレーム２６に支持される装着基板３１を有している。装着基板３１は、装置本体２に予め装着されている。装着基板３１には、外部からの情報を画像形成装置１内にＵＳＢ経由で入力するための第１ＵＳＢポート３２が実装されている。第１ＵＳＢポート３２は第１ＵＳＢコネクタソケットにて構成されている。第１ＵＳＢコネクタソケットはコネクタソケットの一例である。
左側面カバー２１は後方に面する後面２１１を有しており、後面２１１には第１ポート開口部２１ｂが形成されている。第１ポート開口部２１ｂからは、第１ＵＳＢポート３２が露出している。
【００１８】
増設基板３３は、メモリ、ＬＡＮボード、またはセキュリティーボード等の所定の機能を有し、画像形成装置１に増設することが可能な基板である。
増設基板３３には、第２ＵＳＢポート３４、ＬＡＮポート３５、および第３ＵＳＢポート３６が実装されている。
第２ＵＳＢポート３４は、外部からの情報を増設基板３３にＵＳＢ経由で入力するためのポートである。ＬＡＮポート３５は、外部からの情報を増設基板３３にＬＡＮ経由で入力するためのポートである。第３ＵＳＢポート３６は、増設基板３３に入力され増設基板３３にて処理された情報を増設基板３３の外部にＵＳＢ経由で出力するためのポートである。
【００１９】
左側面カバー２１の後面２１１には第２ポート開口部２１ｃおよび第３ポート開口部２１ｄが形成されており、増設基板３３が板金フレーム２７に装着された状態において、第２ポート開口部２１ｃから第２ＵＳＢポート３４が露出し、第３ポート開口部２１ｄからＬＡＮポート３５が露出するように構成されている。
【００２０】
画像形成装置１は、一端に第１ＵＳＢコネクタプラグ３７が接続され、他端に第２ＵＳＢコネクタプラグ３９が接続されたＵＳＢケーブル３８を有している。第１ＵＳＢコネクタプラグ３７はコネクタプラグの一例であり、ＵＳＢケーブル３８はケーブルの一例である。第１ＵＳＢコネクタプラグ３７は第１ＵＳＢポート３２に接続され、第２ＵＳＢコネクタプラグ３９は第３ＵＳＢポート３６に接続されている。
【００２１】
画像形成装置１においては、例えば第２ＵＳＢポート３４から入力された情報は増設基板３３にて処理された後に第３ＵＳＢポート３６から出力され、第３ＵＳＢポート３６から出力された情報はＵＳＢケーブル３８を通じて第１ＵＳＢポート３２に入力されるように構成されている。
【００２２】
［開閉カバー２８のロック機構］
画像形成装置１は、閉位置にある開閉カバー２８を容易に開かないようにロックするロック機構を備えている。
ロック機構は、係合部材５と、第１保護部材２１２および第２保護部材２８１とを有している。係合部材５は、開閉カバー２８の変位方向となる開閉方向において左側面カバー２１と開閉カバー２８とにまたがって配された状態で画像形成装置１に装着されている。第１保護部材２１２および第２保護部材２８１は、係合部材５を覆う保護部材の一例である。
【００２３】
図４〜図６に示すように、係合部材５は、前面が開放された箱形状の本体５０と、本体５０と開閉カバー２８とに係合するネジ５６と、本体５０に形成される爪部５１とを有している。ネジ５６は、開閉カバー２８と左側面カバー２１とを締結する締結部材の一例であり、第１係合部を構成している。爪部５１は、第２係合部を構成している。
【００２４】
係合部材５は、画像形成装置１の後面において、第１ＵＳＢポート３２の第１ＵＳＢコネクタソケット、第１ＵＳＢポート３２に装着される第１ＵＳＢコネクタプラグ３７、第１ＵＳＢコネクタプラグ３７に接続されたケーブル３８を覆う位置に配置されている。
係合部材５を画像形成装置１に装着して、第１ＵＳＢポート３２の第１ＵＳＢコネクタソケット、第１ＵＳＢコネクタプラグ３７、およびケーブル３８を覆うことで、第１ＵＳＢコネクタソケット、第１ＵＳＢコネクタプラグ３７、およびケーブル３８を外力等から保護するように構成している。
【００２５】
本体５０には、前後方向に貫通し、ねじ５６が挿通される挿通孔５２が形成されている。開閉カバー２８には、前後方向に貫通し、ねじ５６が挿通される係合孔２８ｂが形成されている。左側面カバー２１の後面２１１には、ねじ５６が螺装される締結穴２１ｅが形成されている。締結穴２１ｅはねじ穴に形成されており、第２ポート開口部２１ｃの下方に配置されている。
挿通孔５２、係合孔２８ｂ、および締結穴２１ｅは、開閉カバー２８が閉位置にあるとともに係合部材５が画像形成装置１に装着された状態において、前後方向と直交する方向の位置が互いに合うように配置されており、ねじ５６を挿通孔５２および係合孔２８ｂに挿通させた状態で締結穴２１ｅに螺装することが可能となっている。
【００２６】
ねじ５６を挿通孔５２および係合孔２８ｂに挿通させた状態で締結穴２１ｅに螺装することで、ねじ５６が開閉カバー２８と係合部材５の本体５０とに係合し、開閉カバー２８および係合部材５の本体５０が、ねじ５６によって左側面カバー２１に締結されることとなる。
【００２７】
このように、ねじ５６によって開閉カバー２８および係合部材５の本体５０が左側面カバー２１に締結されることで、開閉カバー２８および本体５０が左側面カバー２１に固定されることとなり、開閉カバー２８および本体５０が左側面カバー２１に対してガタつくことを抑制可能となっている。
また、開閉カバー２８と係合部材５の本体５０とがねじ５６によって締結されるため、開閉カバー２８と係合部材５の本体５０との係合状態を安定的に保持することが可能となっている。
【００２８】
なお、本実施形態においては、左側面カバー２１の後面２１１における第３ポート開口部２１ｄの上方にねじ穴である締結穴２１ｆが形成されており、ねじ５６を開閉カバー２８に形成される係合孔２８ｄに挿通した状態で締結穴２１ｆに螺装することで、開閉カバー２８を左側面カバー２１に締結することが可能となっている。
【００２９】
爪部５１は、本体５０の後面５０ａにおける上端部と下端部とに形成されており、本体５０の後面５０ａから前方へ向かって延出する脚部５１ａと、脚部５１ａの前端部に形成される係合爪５１ｂとを有している。
爪部５１は、係合部材５が画像形成装置１に装着された状態において、左側面カバー２１の第１ポート開口部２１ｂと対向する位置に配置されている。
【００３０】
本体５０の後面５０ａにおける上端部に形成される爪部５１は、第１ポート開口部２１ｂの上縁部に係合しており、本体５０の後面５０ａにおける下端部に形成される爪部５１は、第１ポート開口部２１ｂの下縁部に係合している。
【００３１】
本体５０の上端部側に形成される爪部５１の脚部５１ａは弾性を有するとともに、前方へ向かうに従って上方へ傾斜している。そして、上端部側の脚部５１ａにおける係合爪５１ｂ側端部が第１ポート開口部２１ｂの上縁部に圧接した状態で、係合爪５１ｂが第１ポート開口部２１ｂの上縁部に係合している。
また、本体５０の下端部側に形成される爪部５１の脚部５１ａは弾性を有するとともに、前方へ向かうに従って下方へ傾斜している。そして、下端部側の脚部５１ａにおける係合爪５１ｂ側端部が第１ポート開口部２１ｂの下縁部に圧接した状態で、係合爪５１ｂが第１ポート開口部２１ｂの下縁部に係合している。
【００３２】
このように、爪部５１が左側面カバー２１の第１ポート開口部２１ｂに係合することにより、係合部材５が左側面カバー２１に固定されている。この場合、爪部５１の係合爪５１ｂが左側面カバー２１係合することで、係合部材５と左側面カバー２１との係合状態を安定的に保持することが可能となっている。
【００３３】
また、本体５０が画像形成装置１に装着されて、ねじ５６が開閉カバー２８と係合部材５の本体５０とに係合するとともに、係合部材５の本体５０に形成される爪部５１が左側面カバー２１と係合することで、左側面カバー２１と開閉カバー２８とが係合部材５により連結され、閉位置にある開閉カバー２８がロックされることとなり、閉位置にある開閉カバー２８の開閉が規制される。
従って、開閉カバー２８を開いて増設基板３３を開口部２１ａを通じて板金フレーム２７に装着した後に、開閉カバー２８を閉じて係合部材５を画像形成装置１に装着することにより、開閉カバー２８を開かないようにロックすることができる。
【００３４】
なお、本実施形態においては、係合部材５の本体５０に爪部５１を形成して、爪部５１の係合爪５１ｂが左側面カバー２１の第１ポート開口部２１ｂに係合するように構成しているが、左側面カバー２１に爪部を形成して、当該爪部が係合部材５の本体５０に係合するように構成することも可能である。
【００３５】
また、本実施形態においては、開閉カバー２８と係合部材５の本体５０とを係合させる第１係合部をねじ５６にて構成しているが、係合部材５の本体５０に第１係合部としての爪部を形成して、当該爪部が開閉カバー２８と係合するように構成することもできる。さらに、開閉カバー２８に第１係合部としての爪部を形成して、当該爪部が係合部材５の本体５０と係合するように構成することもできる。
【００３６】
図７、図８に示すように、第１保護部材２１２は、左側面カバー２１の後面２１１から後方へ延出する壁部材であり、係合部材５における本体５０の上方を覆う第１上方保護壁部２１２ａ、本体５０の右側方を覆う第１側方保護壁部２１２ｂ、および本体５０の下方を覆う第１下方保護壁部２１２ｃを有している。
本体５０の上端部および下端部に形成される爪部５１は、それぞれ第１上方保護壁部２１２ａおよび第１下方保護壁部２１２ｃにより覆われている。
【００３７】
第１上方保護壁部２１２ａ、第１側方保護壁部２１２ｂおよび第１下方保護壁部２１２ｃは本体５０に近接して配置されており、第１上方保護壁部２１２ａ、第１側方保護壁部２１２ｂおよび第１下方保護壁部２１２ｃの高さ寸法が、本体５０の高さ寸法と同じ、または本体５０の高さ寸法よりも大きくなるように形成されている。
【００３８】
本実施形態の場合は、第１上方保護壁部２１２ａ、第１側方保護壁部２１２ｂおよび第１下方保護壁部２１２ｃの高さ寸法は、本体５０の高さ寸法と同じ寸法に形成されている。具体的には、第１上方保護壁部２１２ａの高さ寸法は本体５０の上面５０ｂの高さ寸法と同じ寸法に形成され、第１側方保護壁部２１２ｂの高さ寸法は本体５０の右側面５０ｃの高さ寸法と同じ寸法に形成され、第１下方保護壁部２１２ｃの高さ寸法は本体５０の下面５０ｄの高さ寸法と同じ寸法に形成されている。
【００３９】
ここで、本体５０の高さ寸法とは本体５０の前後方向の寸法である。また、第１上方保護壁部２１２ａ、第１側方保護壁部２１２ｂおよび第１下方保護壁部２１２ｃの高さ寸法とは、第１上方保護壁部２１２ａ、第１側方保護壁部２１２ｂおよび第１下方保護壁部２１２ｃの前後方向の寸法である。
【００４０】
第２保護部材２８１は、開閉カバー２８の係合孔２８ｂが形成される面から後方へ延出する壁部材であり、本体５０の下方を覆う第２下方保護壁部２８１ａおよび本体の左側方を覆う第２側方保護壁部２８１ｂを有している。
係合部材５においてねじ５６が挿通される挿通孔５２は、本体５０の左上端部に位置しており、係合部材５と開閉カバー２８とを係合するねじ５６は、第２側方保護壁部２８１ｂにより覆われている。
【００４１】
第２下方保護壁部２８１ａおよび第２側方保護壁部２８１ｂは本体５０に近接して配置されており、第２下方保護壁部２８１ａおよび第２側方保護壁部２８１ｂの高さ寸法が、本体５０の高さ寸法と同じ、または本体５０の高さ寸法よりも大きくなるように形成されている。
【００４２】
本実施形態の場合は、第２下方保護壁部２８１ａおよび第２側方保護壁部２８１ｂの高さ寸法は、本体５０の高さ寸法と同じ寸法に形成されている。具体的には、第２下方保護壁部２８１ａの高さ寸法は本体５０の下面５０ｄの高さ寸法と同じ寸法に形成され、第２側方保護壁部２８１ｂの高さ寸法は本体５０の左側面５０ｅの高さ寸法と同じ寸法に形成されている。
【００４３】
ここで、第２下方保護壁部２８１ａおよび第２側方保護壁部２８１ｂの高さ寸法とは、第２下方保護壁部２８１ａおよび第２側方保護壁部２８１ｂの前後方向の寸法である。
なお、図８に示すように、本体５０の左側面５０ｅと後面５０ａとは曲面５０ｆにより接続されており、第２側方保護壁部２８１ｂは、平面状に形成される左側面５０ｅを覆っている。
【００４４】
このように、係合部材５の第１係合部であるねじ５６および係合部材５の第２係合部である爪部５１を、それぞれ第２保護部材２８１および第１保護部材２１２にて覆うことで、第２保護部材２８１および第１保護部材２１２によりねじ５６および爪部５１を保護することが可能となっている。
【００４５】
特に、係合部材５の周縁部を覆う第１上方保護壁部２１２ａ、第１側方保護壁部２１２ｂ、第１下方保護壁部２１２ｃ、第２下方保護壁部２８１ａおよび第２側方保護壁部２８１ｂの高さ寸法は、本体５０の高さ寸法と同じ、または本体５０の高さ寸法よりも大きく形成されているため、本体５０の上面、下面、左右側面を指でつまむことが困難となり、係合部材５を左側面カバー２１および開閉カバー２８から取り外しにくくすることが可能となっている。
【００４６】
また、画像形成装置１においては、係合部材５における本体５０の上方を覆う第１上方保護壁部２１２ａを少なくとも有しているため、例えば本体５０の上方から液体がかかったときに、本体５０の内部に液体が浸入することを抑制可能となっている。
【００４７】
なお、本実施形態においては、第１保護部材２１２および第２保護部材２８１によりねじ５６および爪部５１の両方を覆うように構成しているが、ねじ５６または爪部５１の少なくとも一方が第１保護部材２１２および第２保護部材２８１により覆われていればよい。
【００４８】
図６に示すように、画像形成装置１においては、第１ＵＳＢコネクタプラグ３７は第１ＵＳＢポート３２の第１ＵＳＢコネクタソケットに所定のストロークＳＴにて嵌合することにより、第１ＵＳＢコネクタソケットに装着されるように構成されている。
また、第１ＵＳＢコネクタプラグ３７が第１ＵＳＢコネクタソケットに装着されるとともに、係合部材５の本体５０が画像形成装置１に装着された状態では、第１ＵＳＢコネクタプラグ３７と本体５０の後面５０ａとは、第１ＵＳＢコネクタプラグ３７の装着方向となる前後方向において離間距離Ｄだけ離間している。離間距離ＤはストロークＳＴの距離よりも小さく構成されている。
【００４９】
従って、第１ＵＳＢコネクタプラグ３７が第１ＵＳＢコネクタソケットから抜け出す方向である後方へ変位したときには、第１ＵＳＢコネクタプラグ３７は第１ＵＳＢコネクタソケットから完全に抜け出す前に本体５０の後面５０ａに当接し、それ以上後方へ変位することが規制される。つまり、本体５０の後面５０ａは、離間距離ＤをストロークＳＴの距離よりも小さくして、第１ＵＳＢコネクタプラグ３７の後方への変位を規制する規制部の一例である。
【００５０】
これにより、第１ＵＳＢコネクタソケットに装着された第１ＵＳＢコネクタプラグ３７が後方へ変位した場合、第１ＵＳＢコネクタソケットと第１ＵＳＢコネクタプラグ３７とが嵌合された状態を維持して、第１ＵＳＢコネクタプラグ３７が第１ＵＳＢコネクタソケットから完全に抜け出すことが防止可能となっている。
【００５１】
また、本体５０の後面５０ａにおける第１ＵＳＢコネクタプラグ３７と対向する箇所には、後面５０ａを前後方向に貫通する孔部５５が形成されている。
孔部５５には棒状部材５７が挿入可能であり、棒状部材５７を本体５０の後方から孔部５５を通じて本体５０内に挿入することで、棒状部材５７により第１ＵＳＢコネクタプラグ３７を前方へ押圧することができる。
【００５２】
従って、本体５０内において、第１ＵＳＢコネクタプラグ３７が第１ＵＳＢコネクタソケットから抜け出す方向に変位した場合、棒状部材５７を孔部５５から本体５０内に挿入して、棒状部材５７により第１ＵＳＢコネクタプラグ３７を前方へ押圧することができる。棒状部材５７により押圧された第１ＵＳＢコネクタプラグ３７は前方へ変位して、第１ＵＳＢコネクタソケットに正常に装着された状態に戻る。
【００５３】
このように、第１ＵＳＢコネクタプラグ３７が第１ＵＳＢコネクタソケットから抜け出しかけた状態となったときに、孔部５５から本体５０内に棒状部材５７を挿入して第１ＵＳＢコネクタプラグ３７を前方へ押し込み、第１ＵＳＢコネクタプラグ３７が第１ＵＳＢコネクタソケットに正常に装着された状態とすることができる。
【００５４】
図２、図８に示すように、開閉カバー２８における係合孔２８ｂが形成される面には、当該面から後方へ突出する突起部２８ａが形成されている。
また、図４、図８に示すように、係合部材５の本体５０は、本体５０が画像形成装置１に装着された際に突起部２８ａと対向する位置に配置される係合面５４を有している。係合面５４は、第３係合部の一例である。
係合面５４は、突起部２８ａよりも、開閉カバー２８が開く側となる左側に位置しており、閉位置にある開閉カバー２８が開位置側へ変位すると、図８に２点鎖線で示すように係合面５４と突起部２８ａとが係合する。
【００５５】
開位置側へ変位するカバー２８は、係合面５４と突起部２８ａとが係合すると、それ以上開位置側へ変位することが規制されるため、開位置に変位して開口部２１ａを開放することができない。
従って、例えば左側面カバー２１の締結穴２１ｅに螺装されていたねじ５６が取り去られて、ねじ５６による係合部材５の本体５０と開閉カバー２８との係合状態が解除されたとしても、係合面５４が突起部２８ａと係合することにより、開閉カバー２８が開くことを防止することが可能となっている。
【００５６】
なお、本実施形態においては、開閉カバー２８に突起部２８ａを形成して、係合部材５の本体５０に突起部２８ａと係合する第３係合部としての係合面５４を形成しているが、係合部材５の本体５０に突起部を形成し、開閉カバー２８に当該突起部と係合する係合部を形成することも可能である。
また、本実施の形態においては、突起部２８ａを開閉カバー２８に設けていたが、突起部２８ａの代わりに凹みを開閉カバー２８に設け、その凹みにはまり込むような突起部を係合部材５に設けるようにしても同様の効果を得ることができる。
【００５７】
図９に示すように、開閉カバー２８は、揺動中心となる軸部２８ｃを有している。軸部２８ｃは、開閉カバー２８の前端部における上端部および下端部に配置されている。
開閉カバー２８の上端部に配置される軸部２８ｃは、開閉カバー２８から上方へ向けて突出する軸部材であり、開閉カバー２８の下端部に配置される軸部２８ｃは、開閉カバー２８から下方へ向けて突出する軸部材である。
【００５８】
左側面カバー２１における開閉カバー２８を支持する部分の軸部２８ｃに対応する箇所には、軸部２８ｃが嵌合可能な嵌合凹部２１３が形成されている。嵌合凹部２１３は、開閉カバー２８の上端部に配置される軸部２８ｃおよび下端部に配置される軸部２８ｃのそれぞれに対応して設けられている。
開閉カバー２８の軸部２８ｃが左側面カバー２１の嵌合凹部２１３に回動可能に嵌合することで、開閉カバー２８が左側面カバー２１に軸部２８ｃの軸線を中心として揺動可能に支持されている。なお、軸部２８ｃの軸線方向は上下方向となっている。
【００５９】
画像形成装置１においては、開閉カバー２８の突起部２８ａと係合する係合面５４は、開閉カバー２８の上端部に配置される軸部２８ｃと下端部に配置される軸部２８ｃとの軸線方向における両端部の間の幅範囲内に配置されている。
つまり、軸部２８ｃの軸線方向における、開閉カバー２８の上端部に配置される軸部２８ｃの上端と、開閉カバー２８の下端部に配置される軸部２８ｃの下端との間の範囲Ｒの範囲内に、係合部材５における本体５０の係合面５４が配置されている。
【００６０】
このように、範囲Ｒの範囲内に係合面５４が配置されることによって、閉位置にある開閉カバー２８が開方向へ変位して係合面５４が突起部２８ａと係合した際に、開閉カバー２８に捩じる方向の力が加わりにくくなって、開閉カバー２８の変形を抑制することができるため、開閉カバー２８が開くことを防止する効果を高めることが可能となっている。
【００６１】
[増設基板３３を装着した後に開閉カバー２８をロックする際の手順]
次に、増設基板３３を画像形成装置１に装着して、開閉カバー２８をロック機構によりロックする際の手順について説明する。
図１０に示すように、増設基板３３を画像形成装置１に装着する際には、開閉カバー２８を開位置に変位させて左側面カバー２１の開口部２１ａを開放し、増設基板３３を開口部２１ａを通じて板金フレーム２７に装着する。なお、増設基板３３を板金フレーム２７に装着する前には、係合部材５の本体５０は画像形成装置１に装着されていない。
【００６２】
図２に示すように、増設基板３３を装置本体２の板金フレーム２７に装着した後、ケーブル３８の第１ＵＳＢコネクタプラグ３７を第１ＵＳＢポート３２に装着するとともに、ケーブル３８の第２ＵＳＢコネクタプラグ３９を第３ＵＳＢポート３６に装着して、第１ＵＳＢポート３２と第３ＵＳＢポート３６とをケーブル３８により接続する。
【００６３】
次に、図１１に示すように、開閉カバー２８を閉位置に変位させて左側面カバー２１の開口部２１ａを開閉カバー２８により閉塞し、係合部材５の本体５０を画像形成装置１に装着する。この場合、本体５０に形成される爪部５１を左側面カバー２１の第１ポート開口部２１ｂに係合させるとともに、ねじ５６を挿通孔５２および係合孔２８ｂに挿通させた状態で締結穴２１ｅに螺装することにより、ねじ５６により開閉カバー２８および係合部材５の本体５０を左側面カバー２１に締結する。
【００６４】
図１に示すように、開閉カバー２８が閉位置に変位した状態で係合部材５の本体５０を画像形成装置１に装着することで、開閉カバー２８閉位置にてロックすることができる。
これにより、開閉カバー２８を開いて増設基板３３を装置本体２から取り外すことが困難となり、増設基板３３の盗難を抑制することが可能となる。
【００６５】
[本実施形態おける効果]
本実施形態においては、画像形成装置１は以下のように構成される。
つまり、画像形成装置１は、装置本体２と、左側面カバー２１と、開閉カバー２８と、係合部材５と、第１保護部材２１２および第２保護部材２８１とを有する。左側面カバー２１は、装置本体２に装着される増設基板３３が通過可能な開口部２１ａを有し、装置本体２を覆う。開閉カバー２８は、左側面カバー２１に揺動可能に支持され、開口部２１ａを閉塞する閉位置と前記開口部を開放する開位置との間で変位可能である。係合部材５は、開閉カバー２８の変位方向において左側面カバー２１と開閉カバー２８とにまたがって配される本体５０と、開閉カバー２８と係合する第１係合部であるねじ５６と、左側面カバー２１と係合する第２係合部である爪部５１とを有し、開閉カバー２８の開閉を規制する。第１保護部材２１２および第２保護部材２８１は、係合部材５におけるねじ５６または爪部５１の少なくとも一方を覆う。
【００６６】
このように、左側面カバー２１は増設基板３３が通過可能であり開閉カバー２８により開閉される開口部２１ａを有しているため、増設基板３３を装置本体２に装着する際には左側面カバー２１全体を装置本体２から取り外す必要がなく、増設基板３３の装着作業を、開閉カバー２８を開位置に変位させるとともに、増設基板３３を開口部２１ａを通じて装置本体２に装着するといった簡易な作業とすることができる。
一方、増設基板３３を装置本体２に装着した後は、開閉カバー２８を閉じて係合部材５を画像形成装置１に装着することにより、ねじ５６が開閉カバー２８と係合部材５の本体５０とに係合するとともに、係合部材５の爪部５１が左側面カバー２１と係合して、開閉カバー２８が開かないようにロックすることができる。
さらに、第１係合部であるねじ５６および第２係合部である爪部５１を、それぞれ第２保護部材２８１および第１保護部材２１２にて覆うことで、第２保護部材２８１および第１保護部材２１２によりねじ５６および爪部５１を保護することが可能である。
従って、開閉カバー２８を開いて増設基板３３を装置本体２から取り外すことが困難となり、増設基板３３の盗難を抑制することが可能となる。
【００６７】
また、装置本体２は、ケーブル３８に接続された第１ＵＳＢコネクタプラグ３７を装着可能な第１ＵＳＢコネクタソケットからなる第１ＵＳＢポート３２を有し、係合部材５の本体５０は、第１ＵＳＢコネクタソケットを覆う位置に配置されている。
これにより、係合部材５を画像形成装置１に装着することで、第１ＵＳＢポート３２の第１ＵＳＢコネクタソケット、第１ＵＳＢコネクタプラグ３７、およびケーブル３８を覆うことができ、第１ＵＳＢコネクタソケット、第１ＵＳＢコネクタプラグ３７、およびケーブル３８を外力等から保護することが可能となる。
【００６８】
また、第１ＵＳＢコネクタプラグ３７は、第１ＵＳＢコネクタソケットに所定のストロークＳＴにて嵌合することにより第１ＵＳＢコネクタソケットに装着可能であり、係合部材５の本体５０は、第１ＵＳＢコネクタプラグ３７が装着されたときに第１ＵＳＢコネクタソケットの装着方向における第１ＵＳＢコネクタプラグ３７との離間距離Ｄが第１ＵＳＢコネクタプラグ３７のストロークＳＴの距離よりも小さくする規制部となる後面５０ａを有する。
これにより、第１ＵＳＢコネクタソケットに装着された第１ＵＳＢコネクタプラグ３７が後方へ変位して第１ＵＳＢコネクタソケットから抜け出そうとしても後面５０ａにより規制されるため、第１ＵＳＢコネクタプラグ３７が第１ＵＳＢコネクタソケットから完全に抜け出すことを防止可能である。
【００６９】
また、係合部材５の本体５０は、後面５０ａの第１ＵＳＢコネクタプラグ３７と対向する箇所に後面５０ａを貫通する孔部５５を有している。
これにより、第１ＵＳＢコネクタプラグ３７が第１ＵＳＢコネクタソケットから抜け出しかけた状態となったときに、孔部５５から本体５０内に棒状部材５７を挿入して第１ＵＳＢコネクタプラグ３７を前方へ押し込むことで、第１ＵＳＢコネクタプラグ３７が第１ＵＳＢコネクタソケットに正常に装着された状態とすることができる。
【００７０】
また、第１保護部材２１２および第２保護部材２８１は、係合部材５における本体５０の周縁部を覆う第１上方保護壁部２１２ａ、第１側方保護壁部２１２ｂおよび第１下方保護壁部２１２ｃ、ならびに第２下方保護壁部２８１ａおよび第２側方保護壁部２８１ｂを有する。そして、第１上方保護壁部２１２ａ、第１側方保護壁部２１２ｂおよび第１下方保護壁部２１２ｃ、ならびに第２下方保護壁部２８１ａおよび第２側方保護壁部２８１ｂの高さが、係合部材５の本体５０の高さと同じまたは係合部材５の本体５０の高さよりも大きい。
これにより、係合部材５の本体５０を指でつまむことが困難となり、本体５０を左側面カバー２１および開閉カバー２８から取り外しにくくすることが可能となる。
【００７１】
また、第１上方保護壁部２１２ａ、第１側方保護壁部２１２ｂおよび第１下方保護壁部２１２ｃ、ならびに第２下方保護壁部２８１ａおよび第２側方保護壁部２８１ｂのうち、少なくとも第１上方保護壁部２１２ａは、係合部材５の本体５０の上方を覆うように配置される。
これにより、本体５０の上方から液体がかかったときに、本体５０の内部に液体が浸入することを抑制可能である。
【００７２】
また、係合部材５の第１係合部は、開閉カバー２８と係合部材５の本体５０とを締結する締結部材であるねじ５６からなる。
これにより、開閉カバー２８と係合部材５の本体５０とをねじ５６により締結することで、開閉カバー２８と係合部材５の本体５０との係合状態を安定的に保持することが可能となる。
【００７３】
また、第１係合部であるねじ５６は、開閉カバー２８と係合部材５の本体５０とを左側面カバー２１に締結する。
これにより、ねじ５６により開閉カバー２８および係合部材５の本体５０を左側面カバー２１に締結することで、開閉カバー２８および本体５０が左側面カバー２１に固定されることとなり、開閉カバー２８および本体５０が左側面カバー２１に対してガタつくことを抑制可能である。
【００７４】
また、係合部材５の第２係合部は、係合部材５の本体５０に形成され左側面カバー２１に係合する爪部５１からなる。
これにより、係合部材５と左側面カバー２１との係合状態を安定的に保持することが可能となる。
【００７５】
また、開閉カバー２８は突起部２８ａを有し、係合部材５の本体５０は、開閉カバー２８が閉位置から開位置へ変位する際に突起部２８ａと係合する第３係合部である係合面５４を有する。
これにより、ねじ５６による係合部材５の本体５０と開閉カバー２８との係合状態が解除されたとしても、係合面５４が突起部２８ａと係合して、開閉カバー２８が開くことを防止することが可能となる。
【００７６】
また、開閉カバー２８は、揺動中心となる軸部２８ｃを有し、係合面５４は、軸部２８ｃの軸線方向における両端部の間の範囲Ｒの範囲内に配置されている。
これにより、閉位置にある開閉カバー２８が開方向へ変位して係合面５４が突起部２８ａと係合した際に、開閉カバー２８に捩じる方向の力が加わりにくくなって、開閉カバー２８の変形を抑制することができるため、開閉カバー２８が開くことを防止する効果を高めることが可能となる。
【符号の説明】
【００７７】
１    画像形成装置
２    装置本体
５    係合部材
２１    左側面カバー
２１ａ  開口部
２１ｅ  締結穴
２８    開閉カバー
２８ａ  突起部
２８ｂ  係合孔
２８ｃ  軸部
３２    第１ＵＳＢポート（第１ＵＳＢコネクタソケット）
３３    増設基板
３７    第１ＵＳＢコネクタプラグ
３８    ＵＳＢケーブル
５０    本体
５０ａ  後面
５１    爪部
５１ａ  脚部
５１ｂ  係合爪
５２    挿通孔
５４    係合面
５５    孔部
５６    ねじ
２１２    第１保護部材
２１２ａ  第１上方保護壁部
２１２ｂ  第１側方保護壁部
２１２ｃ  第１下方保護壁部
２８１    第２保護部材
２８１ａ  第２下方保護壁部
２８１ｂ  第２側方保護壁部
Ｄ    離間距離
Ｒ    範囲
ＳＴ    ストローク
【図１】
2019023708.tif 000003
【図２】
2019023708.tif 000004
【図３】
2019023708.tif 000005
【図４】
2019023708.tif 000006
【図５】
2019023708.tif 000007
【図６】
2019023708.tif 000008
【図７】
2019023708.tif 000009
【図８】
2019023708.tif 000010
【図９】
2019023708.tif 000011
【図１０】
2019023708.tif 000012
【図１１】
2019023708.tif 000013